(57)【要約】【課題】盛土の表面を覆う壁面材が、盛土の凹凸にかかわらず正確に勾配の精度を確保でき、盛土の荷重の影響なども受けないようにする。【解決手段】側面部２と底部３とから成る断面略Ｌ字形の基部壁面材１の上端部に沿って、側面部７のみから成る平板状の上部壁面材６を、前記基部壁面材１の側面部２の上方にオーバーラップさせて連結する。上部壁面材６は、控部材１５によって盛土１４と固定し、必要があれば、上部壁面材６の上端部に沿って、更に上部壁面材６を下方の上部壁面材の上方に延長するよう連結し、各壁面材１・６の背面に順次盛土１４する。各盛土１４間には盛土補強材５を配するものである。【選択図】図１
2010090611.tif 000002
【特許請求の範囲】
【請求項１】
側面部と底部とから成る断面略Ｌ字形の基部壁面材の上端部に沿って、
側面部のみから成る平板状の上部壁面材を、オーバーラップさせて連結することによって断面強度を増加させ、
上部壁面材は、控部材によって盛土と固定し、
必要があれば、上部壁面材の上端部に沿って、更に上部壁面材を下方の上部壁面材の上方に延長するよう連結し、
各壁面材の背面側には順次盛土し、
上下の盛土間には盛土補強材を配してなる
盛土工法。
【請求項２】
上部壁面材に掛けた控部材である控ベルト若しくは控棒を、当該壁面材の下方に位置する壁面材の背後に盛った盛土上に伸ばして固定ピンによって固定し、
当該控ベルトの上に、更に盛土したことを特徴とする
請求項１記載の盛土工法。
【請求項３】
側面部と底部とから成る断面略Ｌ字形の基部壁面材の上端部に沿って、
側面部のみから成る平板状の上部壁面材を、オーバーラップさせて連結することによって断面強度を増加させ、
上部壁面材は、控部材によって盛土と固定し、
必要があれば、上部壁面材の上端部に沿って、更に上部壁面材を下方の上部壁面材の上方に延長するよう連結し、
各壁面材の背面側には順次盛土し、
上下の盛土間には盛土補強材を敷設してなる
盛土構造。
【請求項４】
壁面材の側面部及び底部は、エキスパンドメタルによって形成したことを特徴とする
請求項３に記載の盛土構造。
【請求項５】
板部の一方の表面に環状のリング部を、
他方の表面に先端が上方に突出するフック部を備える接続具を、
当該リング部を下方の壁面材のメタル線材に被せ、
前記フック部に、上方の壁面材の網目を通して支え、
上下の壁面材の一部をオーバーラップさせて連結し、断面強度を増加させたことを特徴とする
請求項３又は４に記載の盛土構造。
【請求項６】
上下に開口する差込部を有する断面Ｓ字形の接続具を、
下方と上方の壁面材を、上下の差込部に差し込み、
上下の壁面材の一部をオーバーラップさせて連結し、断面強度を増加させたことを特徴とする
請求項３又は４に記載の盛土構造。
【発明の詳細な説明】
【技術分野】
【０００１】
本発明は、斜面からの落石を受け止める堤体や、河川の水による浸食などを防ぐ護岸構造物などを、盛土によって構築するための盛土工法及びその構造に関するものである。
【背景技術】
【０００２】
山岳地などで、斜面を転げ落ちてくる転石などを食い止め、その下の道路や住宅を守るために、盛土によって斜面の下に堤体を構築することが採用されている。
或いは、河川や海岸において、水流や波などによって河川敷や岸辺が浸食されるのを護岸するために、盛土によって補強のための構造物を構築することが採用されている。
或いは、斜面の崩落防止のために、斜面に沿って盛土を行うことがある。
【０００３】
盛土によって構築するこれら堤体や、護岸などのための構造物を構築する方法として、これまで特願２００１−３２２７１２号（特開２００３−１２９４２３号公報）にかかる発明や、特願２００３−６４３１号（特開２００４−２１８２６３号公報）にかかる発明を提案している。
これら盛土による施工方法を図１１に示す。
これら盛土による施工では、エキスパンドメタルなどから成る側面図ｂと底面部ｃから成る断面Ｌ字形の壁面材ａを使用し、これを構造物の表面となる位置に起立し、その背面側に盛土ｄを行う。
その盛土ｄの上に、同じく断面Ｌ字形の壁面材ａを設置して、その背後に更に盛土ｂを行うものである。
上下の盛土ｄと盛土ｄとの間には、ジオグリッドなどから成る盛土補強材ｅを敷設して盛土を補強し、また壁面材ａの倒れを防止するために、この盛土補強材ｅを壁面材ａの底面部ｃと連結する。
【０００４】
このような従来の盛土施工であると、盛土ｄの表面に凹凸があったり、水平でなかった場合、Ｌ字形断面の壁面材ａの側面部ｂが傾いてしまい、正確な出来形（勾配）を保つことが難しい。
従って、壁面材ａを設置する前に、盛土ｄの上の細かな地ならしが不可欠であった。
また盛土ｄが何らかの原因で沈下した場合、Ｌ字形の底部に力が作用して、剛性の高いつま先部（屈曲部分）に力が集中して回転し易くなり、壁面材ａが変形してしまうことがある。
更に、底面部ｃの上に大量の水が溜まって流れると、その水が盛土ｄ表面側に流れて、吸出しという現象を起こし、土砂を流し出してしまうことがあった。
【０００５】
また、前記したように従来の施工では、壁面材ａを盛土補強材ｅと連結するため、その作業が面倒である。
更に、壁面の一部を損傷した場合、その部分の壁面材ａを取替えようとしても、盛土補強材ｅと連結してあるため、その部分だけの壁面材ａを取替えるだけでも大規模な工事が必要である。
【特許文献１】特開２００３−１２０４２３号公報
【特許文献２】特開２００４−２１８２６３号公報
【発明の開示】
【発明が解決しようとする課題】
【０００６】
本発明が解決しようとする課題は、盛土の不陸や沈下に壁面が影響を受けることと、施工の手間や、損傷時の大掛かりな補修工事などである。
【課題を解決するための手段】
【０００７】
本発明にかかる盛土工法は、
側面部と底部とから成る断面略Ｌ字形の基部壁面材の上端部に沿って、
側面部のみから成る平板状の上部壁面材をオーバーラップさせて連結することによって断面強度を増加させ、
上部壁面材は、控部材によって盛土と固定し、
必要があれば、上部壁面材の上端部に沿って、更に上部壁面材を下方の上部壁面材の上方に延長するよう連結し、
各壁面材の背面側には順次盛土し、
上下の盛土間には盛土補強材を配するものである。
また、本発明にかかる他の盛土工法は、
上部壁面材に掛けた控部材である控ベルト若しくは控棒を、当該壁面材の下方に位置する壁面材の背後に盛った盛土上に伸ばして固定ピンによって固定し、
当該控ベルトの上に、更に盛土することを特徴とするものである。
【０００８】
本発明にかかる盛土構造は、
側面部と底部とから成る断面略Ｌ字形の基部壁面材の上端部に沿って、
側面部のみから成る平板状の上部壁面材を、
前記基部壁面材の側面部の上方にオーバーラップさせて連結することによって断面強度を増加させ、
上部壁面材は、控部材によって盛土と固定し、
必要があれば、上部壁面材の上端部に沿って、更に上部壁面材を下方の上部壁面材の上方に延長するよう連結し、
各壁面材の背面側には順次盛土し、
上下の盛土間には盛土補強材を敷設するものである。
また、本発明にかかる他の盛土構造は、
壁面材の側面部及び底部は、エキスパンドメタルによって形成したことを特徴とするものである。
更に、本発明にかかる他の盛土構造は、
板部の一方の表面に環状のリング部を、
他方の表面に、先端が上方に突出するフック部を備える接続具を、
当該リング部を下方の壁面材のメタル線材に被せ、
前記フック部に、上方の壁面材の網目を通して支え、
上下の壁面材の一部をオーバーラップさせて連結し、断面強度を増加させたことを特徴とするものである。
更に、本発明にかかる他の盛土構造は、
上下に開口する差込部を有する断面Ｓ字形の接続具を、
下方と上方の壁面材を、上下の差込部に差し込み、
上下の壁面材の一部をオーバーラップさせて連結し、断面強度を増加させたことを特徴とするものである。
【発明の効果】
【０００９】
本発明は以上のような構成を有するため、以下の効果を得ることができる。
＜ａ＞最下部に設置する壁面材以外は、側面部のみから成る平板状の壁面材を使用し、これをその下の壁面材の延長方向にオーバーラップさせて連結するため、盛土の凹凸に影響を受けず、正確な地ならしをしなくとも、堤体や護岸構造物の壁面の出来形（勾配）の精度を得ることが出来る。
＜ｂ＞上下の壁面材の一部をオーバーラップさせて連結し、断面強度を増加させたため、盛土施工時の壁面材の座屈が抑制できる。
＜ｃ＞最下部に設置する壁面材以外は、側面部のみから成る平板状の壁面材を使用するため、盛土が沈下しても、壁面材がそれによって影響を受けるようなことがない。
＜ｄ＞最下部に設置する壁面材以外は、側面部のみから成る平板状の壁面材を使用するため、盛土面に水が溜まって土砂などの吸い出しなどが発生しない。
＜ｅ＞壁面材を控ベルトを使用して盛土に固定ピンによって固定し、盛土補強材と連結しないことで、施工が簡易となる。
＜ｆ＞壁面材を盛土補強材と連結しなければ、損傷した部分の壁面材のみ取替えれば良く、補修作業は著しく容易となる。
＜ｇ＞上部壁面材は、側面部のみであって、底面部がない分だけ材料を少なくして、施工を安価にできる。
＜ｈ＞板部の一方の表面に環状のリング部を、他方の表面に、先端が上方に突出するフック部を備える接続具を使用して、エキスパンドメタルから成る壁面材を上下にオーバーラップさせて連結し、壁面材を延長する作業が容易に行える。
【発明を実施するための最良の形態】
【００１０】
本発明では、最下部に位置する基部壁面材のみを断面Ｌ字形とし、その上方に延長する上部壁面材を平板状とし、連結して延長することを最も主要な特徴とする。
【実施例１】
【００１１】
＜１＞基部壁面材
基部壁面材１は、エキスパンドメタルを屈曲して形成した側面部２と底面部３から成る断面略Ｌ字形の部材である。
この基部壁面材１を、地形４の上に設置する。
基部壁面材１の底面部３には、壁面材１の背後の地形４の上に敷設した盛土補強材５を敷き重ねて、両者を結束などして連結する。
盛土補強材５は、盛土１４を一体化して補強するための部材であって、公知のジオテキスタイルやジオグリッドの他、防錆処理した金網材なども使用可能である。
基部壁面材１は、構築する堤体などに沿って複数を並べ、隣り合う壁面材１・１の一部を重ね合わせて、剛性を高めている。
【００１２】
＜２＞上部壁面材
基部壁面材１の側面部２の上方に延長するように、上部壁面材６を連結する。
上部壁面材６は、エキスパンドメタルから成る側面部７のみの平板状の部材である。
基部壁面材１の上端部に沿って、上部壁面材６の下部をオーバーラップさせ、基部壁面部１の側面部２の上方に、その側面部２を延長するように上部壁面材６を配設する。
この実施例では、壁面材１・６はエキスパンドメタルによって形成してあるが、その他、金網材、有孔鋼板、などによって形成してもよい。
【００１３】
＜３＞接続具
基部壁面材１の側面部２と、上部壁面材６の側面部７とは、図３〜図５に示すような接続具８によって接続する。
接続具８は、平板９の一方の表面に環状のリング部１０を、他方の表面に先端が上方に向けて突出するフック部１１を備えている。
このような接続具８のリング部１０を、壁面材１のエキスパンドメタルを構成する線材に被せ、フック部１１を壁面材１の背面側に突出させる。
【００１４】
＜４＞植生シート
壁面材１の背面側に沿って植生シート１２を配し、壁面材１の側面部２と植生シート１２を挟み込むように、断面コ字形金属製の長尺の取付部材１３を側面部２の上縁に取り付けて固定する。
前記した接続具８のフック部１１は、植生シート１２の裏側に突出させる。
植生シート１２としては、不織布や紙、合成樹脂シートなどに種子を付着させたようなものが使用できる。
基部壁面材１の背面に盛土１４を施す。
【００１５】
＜５＞上部壁面材
上部壁面材６の側面部７の網目に、接続具８のフック部１１を引掛けて、フック部１１が上部壁面材６の背面側に位置するようにして上部壁面材６を背面側から支え、基部壁面材１の上方に上部壁面材６を連結する。
上部壁面材６は、底面部を有さないため、盛土１４の表面の凹凸に左右されずに、勾配を正確に維持することが容易である。
上部壁面材６の網目のいずれかに、二つ折りした控ベルト１５の折返し部分を掛けて、重なり合った二端を盛土１４上に伸ばす。
この控ベルト１５を貫通して固定ピン１６を盛土１４に刺して固定する。
控ベルト１５の材質としては、天然繊維や合成樹脂などを製織した繊維製のベルトが使用可能である。
控ベルト１５の先端よりも更に奥には、盛土１４上に盛土補強材５を敷設する。
盛土補強材５の端部と上部壁面材６とは連結していない。
上部壁面材６の背面に盛土１４を施して、控ベルト１５や盛土補強材５を埋設する。
控ベルト１５を盛土１４の重量によって押さえることで、上部壁面材６が倒れることを防ぐ。
また、上部壁面材６は底面部を有していないため、盛土１４を積み上げても、その荷重によって壁面材６が屈曲したり、その部分に水が溜まって土砂の吸出しが発生することがない。
控ベルト１５の他に、棒状の被控棒も同様に使用できる。
【００１６】
＜６＞上部壁面材の積み上げ
更に盛土１４を積み上げる場合は、前記した上部壁面材６の上に、前記した要領で接続具８を使用して積み上げ、控ベルト１５の固定、盛土補強材５の敷設を行う。
壁面材１・６を河川岸に沿って配置して、既述の要領で盛土１４すれば、図６に示すように護岸構造物Ａとなる。
壁面材１・６を、斜面下に沿って向き合わせて設置し、既述の要領で盛土１４を行えば、落石などを止める堤体Ｂとなる。
【実施例２】
【００１７】
図８に示すのは、接続具８の別の実施例である。
接続具８は、長尺の鋼板をほぼ断面Ｓ字形に屈曲させたもので、相反する二方向に開口する差込部１７・１７を有している。
この差込部１７・１７のうち下側に開口する差込部１７に、基部壁面材１か下方の上部壁面材６を差し込み、上側に開口する差込部１７に、上部壁面材６を差し込んで、連結してある。（図９）
【実施例３】
【００１８】
図１０に示すのは、上方の壁面材６と下方の壁面材１・６とを、一定幅（高さ）オーバーラップさせ、そのオーバーラップさせた部分に鋼線などの結束線１８を通して結束し、連結した場合である。
【図面の簡単な説明】
【００１９】
【図１】本発明の施工状態の斜視図である。
【図２】実施例の断面図である。
【図３】接続具の斜視図である。
【図４】接続具により上下の壁面材を連結する斜視図である。
【図５】接続具により上下の壁面材を連結した断面図である。
【図６】本発明の盛土工法によって施工した護岸構造物の断面図である。
【図７】本発明の盛土工法によって施工した堤体の断面図である。
【図８】他の実施例に使用する接続具の斜視図
【図９】図８に示す接続具を使用した壁面材の連結状態の側面図
【図１０】結束線を使用した壁面材の連結状態の側面図
【図１１】従来のＬ字形壁面材を使用した盛土施工の断面図である。
【符号の説明】
【００２０】
Ａ：護岸構造物
Ｂ：堤体
Ｃ：クリアランス
１：基部壁面材
２：側面部
３：底面部
４：地形
５：盛土補強材
６：上部壁面材
７：側面部
８：接続部
９：平板
１０：リング部
１１：フック部
１２：植生シート
１３：取付部材
１４：盛土
１５：控ベルト
１６：固定ピン
１７：差込部
１８：結束線
【図１】
2010090611.tif 000003
【図２】
2010090611.tif 000004
【図３】
2010090611.tif 000005
【図４】
2010090611.tif 000006
【図５】
2010090611.tif 000007
【図６】
2010090611.tif 000008
【図７】
2010090611.tif 000009
【図８】
2010090611.tif 000010
【図９】
2010090611.tif 000011
【図１０】
2010090611.tif 000012
【図１１】
2010090611.tif 000013